(57)【要約】【課題】本発明は、プリント濃度のキャリブレーションを精度良く実行することができるキャリブレーションシステム、キャリブレーション方法を提供する。【解決手段】キャリブレーションシステム１は、デジタルカメラ４０、プリンタ７０、用紙４１を備えている。プリンタ７０は、記憶部２０、プリント部３０、通信部１０、制御部６０を備えている。記憶部２０は、第１テストチャート４２Ｔの画像データ２０Ｄが記憶されている。プリント部３０は、画像データ２０Ｄを基に用紙４２に第１テストチャート４２Ｔをプリントする。通信部１０は、デジタルカメラ４０が撮影した第１テストチャート４２Ｔ及び第２テストチャート４１Ｔの画像データを受信する。制御部６０は、通信部１０が受信した第１テストチャート４２Ｔ及び第１テストチャート４２Ｔの濃度値の差分に基づいて算出した第１補正値４３Ａに基づいてプリント濃度のキャリブレーションを行なう。【選択図】図１
2010226562.tif 000002
【特許請求の範囲】
【請求項１】
画像を撮影するための外部撮影装置と、
用紙にプリント処理を行うためのプリント部と、前記プリント部のプリント濃度のキャリブレーションに用いる第１テストチャートのデータが予め記憶された記憶部と、外部撮影装置と通信するための通信手段と、前記通信手段が受信したデータに基づいて第１補正値を算出しプリント濃度のキャリブレーションを行なう制御部を有するプリンタと、
前記キャリブレーションの基準となる濃度の前記第１テストチャートと同じ画像の第２テストチャートが予め形成されたシート体と、
を備え、
前記制御部は、前記プリント部が用紙にプリント処理した前記第１テストチャート及び前記シート体に形成された前記第２テストチャートの画像データの濃度値の差分に基づいて前記第１補正値を算出し前記プリント濃度のキャリブレーションを実行する、
キャリブレーションシステム。
【請求項２】
前記制御部は、前記記憶部に予め記憶されている前記第１テストチャートと前記外部撮影装置によって撮影された前記第２テストチャートとの間の濃度値の差分に相当する第２補正値をさらに算出し、前記第１補正値及び前記第２補正値に基づいて前記プリント濃度のキャリブレーションを行う、
請求項２に記載のキャリブレーションシステム。
【請求項３】
画像を撮影するための外部撮影装置と、
プリント濃度のキャリブレーションに用いる第１テストチャートのデータが予め記憶された記憶部と、外部撮影装置と通信するための第１通信手段と、前記第１通信手段が受信したデータに基づいて第１補正値を算出し前記プリント濃度のキャリブレーションを行なうためのキャリブレーションデータを生成する補正データ生成部と、を有する情報処理端末と、
前記情報処理端末で生成された前記キャリブレーションデータを受信するための第２通信手段と、前記第２通信手段が受信した前記プリント濃度のキャリブレーションデータに基づいてキャリブレーションを実行する制御部と、を有するプリンタと、
前記キャリブレーションの基準となる濃度の前記第１テストチャートと同じ画像の第２テストチャートが予め形成されたシート体と、
を備え、
前記補正データ生成部は、前記プリント部が用紙にプリント処理した前記第１テストチャート及びシート体に形成された前記第２テストチャートの画像データの濃度値の差分に基づいて前記第１補正値を算出して前記キャリブレーションデータを生成し、
前記制御部は、前記第１補正データ生成部が生成した前記キャリブレーションデータに基づいて前記プリント濃度のキャリブレーションを実行する、
キャリブレーションシステム。
【請求項４】
前記補正データ生成部は、前記記憶部に予め記憶されている前記第１テストチャートと前記外部撮影装置によって撮影された前記第２テストチャートとの間の濃度値の差分に相当する第２補正値をさらに算出し、前記第１補正値及び前記第２補正値に基づいて前記プリント濃度のキャリブレーションを行う、
請求項３に記載のキャリブレーションシステム。
【請求項５】
画像を撮影するための外部撮影装置を用いてプリント濃度のキャリブレーションを行なうキャリブレーション方法であって、
プリンタに予め記憶されているプリント濃度のキャリブレーションに用いる第１テストチャートを用紙にプリントする第１のステップと、
前記第１テストチャートと、前記第１テストチャートと同じ画像であって前記キャリブレーションを行なうための基準となる濃度でシート体に予め形成されている第２テストチャートとを前記外部撮影装置で撮影する第２のステップと、
前記第１テストチャート及び前記第２テストチャートの画像データを前記外部撮影装置から前記プリンタに送信する第３のステップと、
前記第１テストチャート及び前記第２テストチャートの画像データの濃度値の差分に基づいて補正値を算出する第４のステップと
前記第４のステップで算出された補正値に基づいて前記プリント濃度のキャリブレーションを行なう第５のステップと、
を備えたキャリブレーション方法。
【請求項６】
画像を撮影するための外部撮影装置を用いてプリント濃度のキャリブレーションを行なうキャリブレーション方法であって、
情報処理端末に予め記憶されている第１テストチャートを用紙にプリントする第１のステップと、
用紙にプリントされた前記第１テストチャートと、前記第１テストチャートと同じ画像であって前記キャリブレーションを行なうための基準となる濃度でシート体に予め形成されている第２テストチャートとを外部撮影装置で撮影する第２のステップと、
前記第１テストチャート及び前記第２テストチャートの画像データを前記情報処理端末に送信する第３のステップと、
前記第１テストチャート及び前記第２テストチャートの画像データの濃度値の差分に基づいて補正値を算出する第４のステップと、
前記第４のステップで算出された補正値に基づいて前記プリント濃度のキャリブレーションを行なうためのキャリブレーションデータを生成する第５のステップと、
前記キャリブレーションデータを前記プリンタに送信する第６のステップと、
前記キャリブレーションデータに基づいて前記プリント濃度のキャリブレーションを行なう第７のステップと、
を備えたキャリブレーション方法。
【請求項７】
前記第４のステップにおいて、予め記憶されている前記第１テストチャートと前記外部撮影装置で撮影された前記第２テストチャートとの間の濃度値の差分をさらに計算し前記補正値を算出する、
請求項５または6に記載のキャリブレーション方法。
【発明の詳細な説明】
【技術分野】
【０００１】
プリント濃度のキャリブレーションを行うキャリブレーションシステム、キャリブレーション方法に関する。
【背景技術】
【０００２】
一般に、用紙にプリント処理を行うプリンタでは、シート体に予めプリントされているテストチャートを用いてプリント濃度の調整（キャリブレーション）を行なう必要がある。
【０００３】
このため、従来から、プリンタの内部メモリに予め記憶されているテストチャートを用紙にプリントし、プリントしたテストチャートのプリント濃度を作業者が目視で確認してプリント濃度のキャリブレーションが行なわれている。
【０００４】
また、プリント濃度のキャリブレーションを行なうキャリブレーションシステムの中には、メモリに記憶しているテストチャートを用紙にプリントし、プリントしたテストチャートをデジタルカメラ（外部撮影装置）で撮影した画像データと、メモリが記憶しているテストチャートの画像データと、を比較してプリント濃度のキャリブレーションを行うものもある（例えば、特許文献１参照。）。
【先行技術文献】
【特許文献】
【０００５】
【特許文献１】特開２００６−１６５６６０号公報
【発明の概要】
【発明が解決しようとする課題】
【０００６】
上記特許文献１に示すキャリブレーションシステムでは、用紙にプリントされたテストチャートをデジタルカメラで撮影した画像データを用いてキャリブレーションを行っている。しかし、用紙にプリントされたテストチャートをデジタルカメラで撮影する場合には、周辺環境の明るさや照射光の色具合によって画像データの濃度値が変化する。このため、プリント濃度のキャリブレーションを精度良く行うことができないという問題があった。
【０００７】
そこで、本発明は、プリント濃度のキャリブレーションを精度良く実行することができるキャリブレーションシステム、キャリブレーション方法を提供することを目的とする。
【課題を解決するための手段】
【０００８】
この発明のキャリブレーションシステムは、外部撮影装置、プリンタ、シート体を備えている。外部撮影装置は、画像を撮影する。プリンタは、プリント部、記憶部、通信手段、制御部を有している。プリント部は、用紙にプリント処理を行う。記憶部は、プリント濃度のキャリブレーションに用いる第１テストチャートのデータが予め記憶されている。通信手段は、外部撮影装置と通信する。制御部は、通信手段が受信したデータに基づいて第１補正値を算出しプリント濃度のキャリブレーションを行なう。シート体は、キャリブレーションの基準となる濃度の第１テストチャートと同じ画像の第２テストチャートが予め形成されている。制御部は、プリント部が用紙にプリント処理した第１テストチャート及びシート体に形成された第２テストチャートの画像データの濃度値の差分に基づいて第１補正値を算出しプリント濃度のキャリブレーションを実行する。
【０００９】
この構成では、外部撮影装置で撮影した第１テストチャート及び第２テストチャートの画像データの差分を用いてプリント濃度のキャリブレーションを行う。
【００１０】
このため、周辺環境の明るさや照射光の色具合の影響を排除してプリント濃度のキャリブレーションを行うことができる。
【００１１】
この構成において、制御部は、記憶部に予め記憶されている第１テストチャートと外部撮影装置によって撮影された第２テストチャートとの間の濃度値の差分に相当する第２補正値をさらに算出し、第１補正値及び第２補正値に基づいてプリント濃度のキャリブレーションを行なうものとすることが好ましい。
【００１２】
これにより、外部撮影装置によって撮影された第２テストチャートと記憶部に記憶されているキャリブレーションを行うための画像データとの間のプリント濃度のずれも考慮してキャリブレーションを行なうことができる。
【００１３】
この発明のキャリブレーションシステムは、外部撮影装置、情報処理端末、プリンタ、シート体を備えている。外部撮影装置は、画像を撮影する。情報処理端末は、記憶部、第１通信手段、補正データ生成部を有している。記憶部は、プリント濃度のキャリブレーションに用いる第１テストチャートのデータが予め記憶されている。第１通信手段は、外部撮影装置と通信する。補正データ生成部は、第１通信手段が受信したデータに基づいて第１補正値を算出しプリント濃度のキャリブレーションを行なうためのキャリブレーションデータを生成する。プリンタは、第２通信手段、制御部を有している。第２通信手段は、情報処理端末で生成されたキャリブレーションデータを受信する。制御部は、第２通信手段が受信したプリント濃度のキャリブレーションデータに基づいてキャリブレーションを実行する。シート体は、キャリブレーションの基準となる濃度の第１テストチャートと同じ画像の第２テストチャートが予め形成されている。補正データ生成部は、プリント部が用紙にプリント処理した第１テストチャート及びシート体に形成された第２テストチャートの画像データの濃度値の差分に基づいて第１補正値を算出してキャリブレーションデータを生成する。制御部は、第１補正データ生成部が生成したキャリブレーションデータに基づいてプリント濃度のキャリブレーションを実行する。
【００１４】
この構成では、外部撮影装置で撮影した第１テストチャート及び第２テストチャートの画像データの差分に基づいて情報処理端末がキャリブレーションデータを生成する。プリンタは、情報処理端末が生成したキャリブレーションデータに基づいてキャリブレーションを実行する。
【００１５】
このため、周辺環境の明るさや照射光の色具合の影響を排除してプリント濃度のキャリブレーションを行なうことができる。
【００１６】
この構成において、補正データ生成部は、記憶部に予め記憶されている第１テストチャートと外部撮影装置によって撮影された第２テストチャートとの間の濃度値の差分に相当する第２補正値をさらに算出し、第１補正値及び第２補正値に基づいてプリント濃度のキャリブレーションを行なうことが好ましい。
【００１７】
これにより、外部撮影装置によって撮影された第２テストチャートと記憶部に記憶されているキャリブレーションを行うための画像データとの間のプリント濃度のずれも考慮してキャリブレーションを行なうことができる。
【００１８】
この発明のキャリブレーション方法は、画像を撮影するための外部撮影装置を用いてプリント濃度のキャリブレーションを行なうキャリブレーション方法であり、第１から第５のステップを備えている。第１のステップは、プリンタに予め記憶されているプリント濃度のキャリブレーションに用いる第１テストチャートを用紙にプリントする。第２のステップは、第１テストチャートと、第１テストチャートと同じ画像であってキャリブレーションを行なうための基準となる濃度でシート体に予め形成されている第２テストチャートとを外部撮影装置で撮影する。第３のステップは、第１テストチャート及び第２テストチャートの画像データを外部撮影装置からプリンタに送信する。第４のステップは、第１テストチャート及び第２テストチャートの画像データの濃度値の差分に基づいて補正値を算出する。第５のステップは、第４のステップで算出された補正値に基づいてプリント濃度のキャリブレーションを行なう。
【００１９】
この構成では、外部撮影装置で撮影した第１テストチャート及び第２テストチャートの画像データの差分を用いてプリント濃度のキャリブレーションを行う。
【００２０】
このため、周辺環境の明るさや照射光の色具合の影響を排除してプリント濃度のキャリブレーションを行うことができる。
【００２１】
この発明のキャリブレーション方法は、画像を撮影するための外部撮影装置を用いてプリント濃度のキャリブレーションを行なうキャリブレーション方法であり、第１から第７のステップを備えている。第１のステップは、情報処理端末に予め記憶されている第１テストチャートを用紙にプリントする。第２のステップは、用紙にプリントされた第１テストチャートと、第１テストチャートと同じ画像であってキャリブレーションを行なうための基準となる濃度でシート体に予め形成されている第２テストチャートとを外部撮影装置で撮影する。第３のステップは、第１テストチャート及び第２テストチャートの画像データを情報処理端末に送信する。第４のステップは、第１テストチャート及び第２テストャートの画像データの濃度値の差分に基づいて補正値を算出する。第５のステップは、第４のステップで算出された補正値に基づいてプリント濃度のキャリブレーションを行なうためのキャリブレーションデータを生成する。第６のステップは、キャリブレーションデータをプリンタに送信する。第７のステップは、キャリブレーションデータに基づいてプリント濃度のキャリブレーションを行なう。
【００２２】
この構成では、外部撮影装置で撮影した第１テストチャート及び第２テストチャートの画像データの差分に基づいて情報処理端末がキャリブレーションデータを生成する。プリンタは、情報処理端末が生成したキャリブレーションデータに基づいてキャリブレーションを実行する。
【００２３】
この構成の第４のステップにおいて、予め記憶されている第１テストチャートと外部撮影装置で撮影された第２テストチャートとの間の濃度値の差分をさらに計算し補正値を算出するものとすることが好ましい。
【００２４】
これにより、外部撮影装置によって撮影された第２テストチャートと予め記憶されている第１テストチャートとの間のプリント濃度のずれも考慮してキャリブレーションを行なうことができる。
【発明の効果】
【００２５】
この発明によれば、周辺環境の明るさの影響を排除して精度良くプリント濃度のキャリブレーションを行うことができる。
【図面の簡単な説明】
【００２６】
【図１】この発明の第１実施形態に係るキャリブレーションシステムの概略図である。
【図２】第１補正値及び第２補正値を用いて制御部がプリンタ濃度のキャリブレーションを行なう場合におけるフローチャートである。
【図３】この発明の第２実施形態における第１補正値のみを用いてプリンタ濃度のキャリブレーションを行なう場合のフローチャートである。
【図４】この発明の第３実施形態に係るキャリブレーションシステムの概略図である。
【図５】パソコンにおけるキャリブレーションデータ作成処理の流れを説明するフローチャートである。
【図６】プリンタにおけるキャリブレーションデータを用いたプリント濃度のキャリブレーション処理の流れを説明するフローチャートである。
【発明を実施するための形態】
【００２７】
この発明の第１実施形態に係るキャリブレーションシステム１について図面を参照しつつ詳細に説明する。
【００２８】
図１に示すように、キャリブレーションシステム１は、デジタルカメラ（外部撮影装置）４０、プリンタ７０、用紙（シート体）４１を備えている。
【００２９】
プリンタ７０は、通信部（通信手段）１０、記憶部２０、プリント部３０、制御部６０、操作部８０を有している。
【００３０】
通信部１０は、通信ケーブル５０を介してデジタルカメラ４０から画像データを受信する。また、デジタルカメラ４０及び通信部１０の間には、通信ケーブル５０が着脱自在に取り付けられる。これにより、デジタルカメラ４０が撮影した画像データをプリンタ７０に送信することができる。
【００３１】
なお、デジタルカメラ４０の代わりにデジタルカメラの機能を有する携帯電話を用いるものとしても良い。また、デジタルカメラに内蔵されている撮像素子の解像度が低い場合には、第１テストチャート４２Ｔ及び第２テストチャート４１Ｔを同じ倍率で拡大して用紙４２、４１にそれぞれプリントすることも考えられる。
【００３２】
記憶部２０には、テストチャートの画像データ２０Ｄが予め記憶されている。また、記憶部２０は、通信部１０が受信した画像データを一時的に記憶する。なお、通信部１０は、画像データを記憶部２０を介さずに制御部６０へ送信するものとしても良い。
【００３３】
プリント部３０は、記憶部２０から画像データを読み出して用紙にプリント処理を行う。操作部８０は、各種の操作入力を行うための操作パネル８１と、操作の案内画面等を表示する表示パネル８２と、を有している。
【００３４】
制御部６０は、操作入力に応じてプリント部３０におけるプリント処理を制御する。制御部６０は、プリント濃度のキャリブレーションを行うための操作入力が行われるとプリント部３０にキャリブレーション処理を実行させる。
【００３５】
用紙４１は、第２テストチャート４１Ｔが予めプリントされている。第２テストチャート４１Ｔは、キャリブレーションを行うための基準となる濃度値で画像データ２０Ｄと同じ画像をプリントしたものである。第２テストチャート４１Ｔは、濃淡の異なる各色成分が予め設定されたパターンで網の目状にプリントされている。なお、図１では、網の目状に表された第２テストチャート４１Ｔの概観のみ図示している。網の目内にそれぞれプリントされた上記各色成分については、図示を省略している。本実施形態では、第２テストチャート４１Ｔが用紙４１にプリントされている例を挙げているが、例えば、第２テストチャート４１Ｔは樹脂部材等に予めプリントされたものを用いても良い。
【００３６】
なお、第２テストチャート４１Ｔ及び第１テストチャート４２Ｔは、網の目状に設けられたものに限定されない。例えば、濃淡の異なるパターンで各色成分がプリントされていれば良い。また、プリント濃度のキャリブレーションをグレースケールの画像データを用いて行う場合には、グレースケールで表された画像データを第２テストチャート４１Ｔ及び第１テストチャート４２Ｔとして用いても良い。
【００３７】
ここで、プリント濃度のキャリブレーション方法について具体的に説明すると以下の通りである。
【００３８】
最初に、作業者は、操作パネル８１を操作して画像データ２０Ｄをプリント部３０で用紙４２にプリントさせる。
【００３９】
次に、作業者は、デジタルカメラ４０を用いて第２テストチャート４１Ｔ及び第１テストチャート４２Ｔをこの順に撮影する。
【００４０】
そして、デジタルカメラ４０及びプリンタ７０の図示しない通信ポートに通信ケーブル５０を接続する。
【００４１】
さらに、作業者は、操作パネル８１に設けられたプリント濃度のキャリブレーション開始ボタンを押圧する。
【００４２】
制御部６０は、上記キャリブレーション開始ボタンが操作されると、通信部１０を介してデジタルカメラ４０が接続されていることを確認する。デジタルカメラ４０との接続が確認されると、デジタルカメラ４０から第１テストチャート４２Ｔ及び第２テストチャート４１Ｔの画像データを読み出して記憶部２０に記憶させる。この際、制御部６０は、第１テストチャート４２Ｔ及び第２テストチャート４１Ｔの画像データをＲ（レッド）、Ｇ（グリーン）、Ｂ（ブルー）からＹ（イエロー）、Ｍ（マゼンダ）、Ｃ（シアン）のデータに変換して記憶部２０に記憶させる。
【００４３】
以下において、第２テストチャート４１Ｔの画像データを第１画像データ４１Ｄと表記する。また、第１テストチャート４２Ｔの画像データを第２画像データ４２Ｄと表記する。
【００４４】
制御部６０は、デジタルカメラ４０の記憶メモリに記憶されている画像データの撮影日時に基づいて第２画像データ４２Ｄ、第１画像データ４１Ｄを判別している。具体的には、撮影日時が最も新しい画像データを第２画像データ４２Ｄとして判別している。また、第２画像データ４２Ｄの画像データの次に撮影日時が新しい画像データを第１画像データ４１Ｄの画像データとして判別している。
【００４５】
なお、本実施形態では、第１画像データ４１Ｄ及び第２画像データ４２Ｄを撮影した順番で判別する例を挙げているが、例えば、最初に用紙４１をデジタルカメラ４０で撮影して第１画像データ４１Ｄをプリンタ７０に転送させ、操作部８０を操作して第２テストチャート４１Ｔとして記憶部２０に記憶させる。その後、用紙４２をデジタルカメラ４０で撮影して第２画像データ４２Ｄをプリンタ７０に転送させ、操作部８０を操作して第１テストチャート４２Ｔとして記憶部２０に記憶させるものとしても良い。
【００４６】
制御部６０は、第１画像データ４１Ｄ及び第２画像データ４２Ｄの濃度の差分に基づいて第１補正値４３Ａを計算する。これにより、環境光の影響を取り除いた補正データを得ることができる。
【００４７】
ここで、用紙４１に形成されている第２テストチャート４１Ｔは、経年劣化等によってプリント濃度がわずかに変化することも考えられる。
【００４８】
このため、第１画像データ４１Ｄ及び画像データ２０Ｄのプリント濃度の濃度値のずれについても補正を行うことが好ましい。
【００４９】
そこで、制御部６０は、第２画像データ４２Ｄを第１補正値４３Ａによって補正した第３画像データ４４Ｄを作成し、第３画像データ４４Ｄ及び画像データ２０Ｄの差分に基づいて第２補正値４３Ｂを計算する。これにより、第１画像データ４１Ｄ及び画像データ２０Ｄの濃度値のずれを補正することもできる。
【００５０】
制御部６０は、第１補正値４３Ａ及び第２補正値４３Ｂに基づいてプリント部３０のキャリブレーションを実行する。
【００５１】
なお、本実施形態では、第３画像データ４４Ｄ及び画像データ２０Ｄの濃度値の差分に基づいて第２補正値４３Ｂを算出しているが、例えば、第１画像データ４１Ｄ及び画像データ２０Ｄの濃度値の差分から第２補正値４３Ｂを算出するものとしても良い。
【００５２】
ここで、制御部６０が行うキャリブレーション処理の流れについて図２に示すフローチャートを用いてより具体的に説明すると以下の通りである。
【００５３】
制御部６０は、操作部８０からキャリブレーションの開始操作を受け付けると（Ｓ１）、デジタルカメラ４０に第１画像データ４１Ｄ、第２画像データ４２Ｄを送信させる（Ｓ２）。
【００５４】
制御部６０は、第１画像データ４１Ｄ及び第２画像データ４２Ｄの濃度値の比較をＹ（イエロー）、Ｍ（マゼンダ）、Ｃ（シアン）の色成分ごとに行う。制御部６０は、第１画像データ４１Ｄの濃度値と第２画像データ４２Ｄの濃度値の差分に基づいて第１補正値４３Ａを算出する（Ｓ３）。なお、第１補正値４３Ａは、第１画像データ４１Ｄ及び第２画像データ４２Ｄの濃度値の平均値をそれぞれ比較して求めれば良い。また、第１画像データ４１Ｄ及び第２画像データ４２Ｄの対応する同じ位置の濃度値を比較して求めるものとしても良い。これにより、環境光の影響を取り除いた補正値を求めることができる。
【００５５】
制御部６０は、第１補正値４３Ａが予め設定された許容範囲内であるか否かを判別する（Ｓ４）。ここで、上記許容範囲は、プリンタ７０の仕様に応じてキャリブレーションを精度良く実施できる範囲に予め設定されている。
【００５６】
制御部６０は、第１補正値４３Ａが許容範囲内である場合には、第２画像データ４２Ｄに第１補正値４３Ａを足し込んで第３画像データ４４Ｄを作成する（Ｓ５）。
【００５７】
さらに、制御部６０は、第３画像データ４４Ｄの濃度値の平均値及び画像データ２０Ｄの濃度値の平均値の差分に基づいて第２補正値４３Ｂを求める（Ｓ６）。これにより、画像データ２０Ｄの濃度値に一致するように補正するための補正データを得ることができる。
【００５８】
制御部６０は、第１補正値４３Ａ及び第２補正値４３Ｂに基づいてプリント部３０のプリント濃度のキャリブレーションを実行する（Ｓ７）。
【００５９】
これにより、プリント濃度のキャリブレーションを環境光の影響を取り除いて行うことができる。
【００６０】
制御部６０は、ステップＳ５において第１補正値４３Ａが予め設定された許容範囲内に無い場合には、表示パネル８２にエラー表示を行う（Ｓ８）。これにより、用紙４１、４２の撮影を再度行ってキャリブレーションをやり直す必要があることを作業者に報知することができる。
【００６１】
なお、上記第１実施形態では、制御部６０は第１補正値４３Ａ及び第２補正値４３Ｂを用いてキャリブレーションを実行する例を挙げているが、第１補正値４３Ａのみを用いてプリント濃度のキャリブレーションを行うものとして良い。この場合の第２実施形態に係るプリント濃度のキャリブレーションでは、図３に示すように制御部６０は算出した第１補正値４３Ａが許容範囲内である場合には第１補正値４３Ａに基づいてキャリブレーションを実行する（Ｓ１５）。ステップＳ１１〜Ｓ１３の処理はステップ１〜３の処理と同様の処理であり、ステップＳ１４、Ｓ１６の処理はステップＳ４、Ｓ８と同様の処理である。
【００６２】
これにより、上記第１実施形態と同様にプリント濃度のキャリブレーションを行なうことができる。但し、画像データ２０Ｄ及び第１画像データ４１Ｄの間の濃度値のずれについては補正することができないので、上記第１実施形態のように第２補正値４３Ｂも用いてキャリブレーションを行なう方がより好ましい。
【００６３】
上記第１実施形態では、キャリブレーションシステム１は、デジタルカメラ４０及びプリンタ７０を備えている例を挙げて説明しているが、本発明はこれに限定されるものではない。キャリブレーションシステムは、パソコンをさらに備え、デジタルカメラ４０で撮影した画像データはパソコン９０を経由してプリンタ７０に送信するものとしても良い。
【００６４】
上記第１実施形態では、プリンタ７０の制御部６０が第１補正値４３Ａ及び第２補正値４３Ｂを算出してプリント部３０のプリント濃度のキャリブレーションを実行する例を挙げて説明しているが、これに限定されるものではない。例えば、パソコン（情報処理端末）９０が第１補正値４３Ａ及び第２補正値４３Ｂに基づいてキャリブレーションデータを生成し、プリンタ７０に送信するものとしても良い。この場合の第３実施形態に係るキャリブレーションシステム２において、上記第１実施形態に係るキャリブレーションシステム１と構成の異なる部分について図４を用いて説明すると以下の通りである。
【００６５】
パソコン９０は、記憶部９１、通信部（第１通信手段）９２、補正データ生成部９３、読取りユニット９４、操作部９５を有している。記憶部９１は、画像データ２０Ｄが記憶されている。通信部９２は、図示しない着脱自在に設けられた通信ケーブルを介してデジタルカメラ４０から画像データを受信する。これにより、第１テストチャート４２Ｔ及び第２テストチャート４１Ｔの画像データを読み出すことができる。
【００６６】
補正データ生成部９３は、上記第１実施形態における制御部６０と同様にして第１補正値４３Ａ及び第２補正値４３Ｂを算出し、算出した第１補正値４３Ａ及び第２補正値４３Ｂに基づいてキャリブレーションデータを作成する。ここで、キャリブレーションデータは、プリント部３０のプリント濃度のキャリブレーションを行なうためのデータである。
【００６７】
なお、第１画像データ４１Ｄ及び画像データ２０Ｄのプリント濃度の濃度値のずれについて考慮する必要がない場合には、第１補正値４３Ａだけに基づいてキャリブレーションデータを作成するものとしても良い。
【００６８】
プリンタ７０の通信部（第２通信手段）１０は、通信ケーブル５０を介してパソコン９０からキャリブレーションデータを受信する。
【００６９】
制御部６０は、キャリブレーションデータに基づいてプリント部３０のプリント濃度のキャブレーションを実行する。
【００７０】
ここで、プリント濃度のキャリブレーション方法について具体的に説明すると以下の通りである。
【００７１】
最初に、作業者は、パソコン９０に接続されているマウス及びキーボード等から成る操作部９５を操作してプリント部３０に画像データ２０Ｄを用紙４２にプリントさせる。
【００７２】
次に、作業者は、デジタルカメラ４０を用いて第２テストチャート４１Ｔ及び第１テストチャート４２Ｔをこの順に撮影する。デジタルカメラ４０が撮影した第２テストチャート４１Ｔ及び第１テストチャート４２Ｔは、デジタルカメラ４０に着脱自在に取り付けられている記憶メモリ４０Ｍに記憶される。
【００７３】
そして、作業者は、デジタルカメラ４０から記憶メモリ４０Ｍを抜き出してパソコン９０の読取りユニット９４に挿入する。
【００７４】
ここで、記憶メモリ４０Ｍに記憶されている第２テストチャート４１Ｔ及び第１テストチャート４２Ｔを用いたキャリブレーションデータの作成方法及びキャリブレーションデータを用いたプリント部３０のキャリブレーションについて図５及び図６を用いて説明する。
【００７５】
図５は、パソコン９０におけるキャリブレーションデータを作成するための処理を説明するフローチャートである。
【００７６】
パソコン９０は、操作部９５からキャリブレーションデータの作成開始の操作を受け付けると（Ｓ２１）、記憶メモリ４０Ｍから第１画像データ４１Ｄ、第２画像データ４２Ｄを読み出す（Ｓ２２）。
【００７７】
パソコン９０は、第１画像データ４１Ｄ及び第２画像データ４２Ｄの濃度値の比較をＹ（イエロー）、Ｍ（マゼンダ）、Ｃ（シアン）の色成分ごとに行う。パソコン９０は、第１画像データ４１Ｄ及び第２画像データ４２Ｄの濃度値の差分に基づいて第１補正値４３Ａを算出する（Ｓ２３）。これにより、環境光の影響を取り除いた補正値を求めることができる。
【００７８】
パソコン９０は、第１補正値４３Ａが予め設定された許容範囲内であるか否かを判別する（Ｓ２４）。ここで、上記許容範囲は、プリンタ７０の仕様に応じてキャリブレーションを精度良く実施できる範囲に予め設定されている。
【００７９】
パソコン９０は、第１補正値４３Ａが許容範囲内である場合には、第２画像データ４２Ｄに第１補正値４３Ａを足し込んで第３画像データ４４Ｄを作成する（Ｓ２５）。
【００８０】
さらに、パソコン９０は、第３画像データ４４Ｄの濃度値の平均値及び画像データ２０Ｄの濃度値の平均値の差分に基づいて第２補正値４３Ｂを求める（Ｓ２６）。これにより、画像データ２０Ｄの濃度値に一致するように補正するための補正データを得ることができる。
【００８１】
パソコン９０は、ステップＳ２４において第１補正値４３Ａが予め設定された許容範囲内に無い場合には、パソコン９０のモニ９６にエラー表示を行う（Ｓ２９）。これにより、用紙４１、４２の撮影を再度行ってキャリブレーションデータの作成をやり直す必要があることを作業者に報知することができる。
【００８２】
パソコン９０は、第１補正値４３Ａ及び第２補正値４３Ｂに基づいてキャリブレーションデータを作成しプリンタ７０に送信する（Ｓ２７、Ｓ２８）。これにより、プリント濃度のキャリブレーションデータを環境光の影響を取り除いて作成することができる。
【００８３】
図６に示すように、プリント部３０はパソコン９０から送信されるキャリブレーションデータに基づいてプリント濃度のキャリブレーションを実行する（Ｓ３１、Ｓ３２）。
【００８４】
このようにキャリブレーションシステム２のキャリブレーション方法によってもキャリブレーションシステム１と同様の効果を得ることができる。
【００８５】
上記実施形態では、用紙４１及び用紙４２を順番にデジタルカメラ４０で撮影してプリンタ７０に転送することにより第１画像データ４１Ｄ及び第２画像データ４２Ｄを判別する例を挙げて説明しているが、例えば、第２テストチャート４１Ｔ及び第１テストチャート４２Ｔに識別マークをそれぞれ設けておくものとしても良い。この場合には、制御部６０が通信ケーブル５０を介してデジタルカメラ４０の記憶メモリにアクセスし多数の画像データの中からそれぞれのテストチャートを判別して読み出すことにより第１画像データ４１Ｄ及び第２画像データ４２Ｄを判別して上記実施形態に係るキャリブレーションを実行することができる。
【００８６】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【符号の説明】
【００８７】
１      キャリブレーションシステム
１０    通信部（通信手段）
２０    記憶部
２０Ｄ  画像データ（第１テストチャートのデータ）
３０    プリント部
４０    デジタルカメラ（外部撮影装置）
４１    用紙（シート体）
４１Ｔ  第２テストチャート
４２    用紙
４２Ｔ  第１テストチャート
６０    制御部
７０    プリンタ
【図１】
2010226562.tif 000003
【図２】
2010226562.tif 000004
【図３】
2010226562.tif 000005
【図４】
2010226562.tif 000006
【図５】
2010226562.tif 000007
【図６】
2010226562.tif 000008